(57)【要約】【課題】  下階の天井面が下がるような落とし込み部を形成させることなく、ユニットルームの床パンを低い位置に設置できて、出入り口の段差を低減させることのできるユニットルームの設置構造を提供する。【解決手段】  ユニットルーム１を設置する下地１０の上面１０ａには、ユニットルーム１の床面を構成する床パン２の置かれる場所に、１０mm〜５０mmの深さの凹部１１が設けられており、この凹部１１内に床パン２を設置して、床パン２と上面１０ａ間の段差を低減させることができる。また、下地１０の下面はフラットに形成されている。【選択図】        図１
2005113590.tif 000002
【特許請求の範囲】
【請求項１】
ユニットルームを設置するための下地は、その下面がフラットに形成されているとともに、上面には、ユニットルームの床パンを落とし込める大きさの凹部が形成されていることを特徴とするユニットルーム設置構造。
【請求項２】
前記ユニットルームの床パンの下端外周にはレベル調整ボルトが設けられているとともに、該床パンの底面にはトラップが垂設され、該トラップが入り込む貫通孔が前記下地のトラップ位置に設けられて、該貫通孔の下方へトラップからの排水管が配設されていることを特徴とする請求項１に記載のユニットルーム設置構造。
【請求項３】
前記下地の凹部の深さが１０〜５０mmに設定されていることを特徴とする請求項１または請求項２に記載のユニットルーム設置構造。
【請求項４】
前記請求項１または請求項２または請求項３に記載の凹部に床パンを設置し、該床パンと面一に隣室の床面レベルを仕上げることを特徴とするユニットルームの設置方法。
【発明の詳細な説明】
【技術分野】
【０００１】
本発明は、ユニットルームの設置構造および設置方法に関するものである。
【背景技術】
【０００２】
集合住宅やホテル等において、例えば特許文献１では、図４に示すように、ユニットルーム５１を設置する際には、ユニットルーム５１を設置する下地５４に、２００mm程度下方へ落とし込んだ落とし込み部５４ａを形成させて、この落とし込み部５４ａに、床パン５２を脚ボルト５３，５３，５３を介して置き、床パン５２と隣室の床面５６とが略面一状となるようにして、ユニットルーム５１の出入り口の段差が少なくなるようにしている。
また、特許文献２のように、床パンをＰＣ版に埋設することもある。
【特許文献１】特開平１１−１１７５５１号公報
【特許文献２】特開平６−１７４６０号公報
【発明の開示】
【発明が解決しようとする課題】
【０００３】
なお、このように下地５４に落とし込み部５４ａを設ける特許文献１の構成では、２００mm程度の落とし込み部５４ａを形成させる際に、専用のコンクリート打設用の型枠が必要となり、工数も増すため、かなりの費用が必要となり、また、強度を確保するために補強梁５５，５５が新たに必要となってくる場合もある。
さらに、落とし込み部５４ａの分だけ下地５４の下面側が下方へ出っ張って、下階の天井面が下がってしまうという問題点があった。
また、特許文献２の構成では、防水パンとＰＣ版とを予め一体化する必要があり、搬入等が大掛かりになるという問題点があった。
【課題を解決するための手段】
【０００４】
本発明は、上記従来の問題点に鑑み案出したものであって、下階の天井面が下がることなく、出入り口の段差を低減させることができるユニットルームの設置構造およびユニットルームの設置方法を提供するものである。
【０００５】
本発明は、上記課題を解決するため、請求項１は、ユニットルームを設置するための下地は、その下面がフラットに形成されているとともに、上面には、ユニットルームの床パンを落とし込める大きさの凹部が形成されていることである。
また、請求項２は、前記ユニットルームの床パンの下端外周にはレベル調整ボルトが設けられているとともに、該床パンの床面にはトラップが垂設され、該トラップが入り込む貫通孔が前記下地のトラップ位置に設けられて、該貫通孔の下方へトラップからの排水管が配設されていることである。
【０００６】
また、請求項３は、前記下地の凹部の深さが１０〜５０mmに設定されていることである。
また、請求項４のユニットルーム設置方法は、前記凹部に床パンを設置し、該床パンと面一に隣室の床面レベルを仕上げることである。
【発明の効果】
【０００７】
本発明では、ユニットルームを設置するための下地は、その下面がフラットに形成されているとともに、上面には、ユニットルームの床パンを落とし込める大きさの凹部が形成されていることにより、下地の下面はフラットであるため、下階の天井面が下がることがなく、また、凹部内にユニットルームの床パンを落とし込み状に設置できて、ユニットルームの出入り口の段差を低減させることができるものとなる。
【０００８】
また、ユニットルームの床パンの下端外周にはレベル調整ボルトが設けられ、床パンにはトラップが垂設され、トラップが入り込む貫通孔が下地に設けられて、貫通孔の下方へトラップからの排水管が配設されることにより、レベル調整ボルトで良好に床パンのレベルを調整することができ、また、床パンから垂設されているトラップを、下地に形成された貫通孔内に入り込ませて、下地の下面側へトラップからの排水管を配設することができ、下地の凹部内に良好にユニットルームの床パンを出入り口の段差を低減させた状態に設置できるものとなる。
【０００９】
また、下地の凹部の深さが１０〜５０mmに設定されていることにより、下地の強度と遮音性を確保しつつ、下地の凹部内にユニットルームの床パンを落とし込んで、出入り口の段差を低減させることができるものとなる。
即ち、凹部の最低深さを１０mmとしたのは、ユニットルームの床パンの高さは５０mm〜６０mmで、それ以下の高さに形成することは困難であり、床パンの高さ寸法が６０mmの場合、下地上に嵩上げしてモルタルを増し打ちできるモルタルの高さは、重量の関係で５０mmまでが限度であり、従って、床パンの高さ６０mmから、増し打ちの高さ５０mmを引いた１０mmの深さの凹部が最低必要なものとなる。そのため凹部の深さの最低を１０mmに設定したものである。
また、凹部の深さの最高を５０mmとしたのは、５０mm程度の深さがあればユニットルームの床パンの出入り口の段差を確実に無くすことができ、一方、下地の強度及び遮音性を考慮すれば、この程度の深さが限度であるため、このように最高深さを５０mmに設定したのである。
【００１０】
また、ユニットルーム設置方法は、凹部に床パンを設置し、床パンと面一に隣室の床面レベルを仕上げることとしたため、凹部内に床パンが設置されると、その分、床パンは低い位置となり、隣室側の床面レベルを僅かに嵩上げすることにより、良好に床パンと隣室の床面レベルを面一状にして、出入り口の段差を無くすことができるものとなる。
【実施例】
【００１１】
以下、本発明の実施例を図面に基づいて説明する。
図１は、ユニットルームの設置構造の縦断面構成図である。
ユニットルーム１は、その底面を構成する床パン２には、排水溝部２ａが凹み状に一体形成されており、ユニットルーム１内の排水溝部２ａの図示右側には、便器３を備えた便器エリアＡ３が形成されており、図示左側には、シャワー装置４を備えたシャワーエリアＡ４が形成されている。
また、ユニットルーム１の床パン２の排水溝部２ａの下部には、トラップ５が垂設され、トラップ５の下端には排水管５ａが接続されている。
また、便器３からの排水管６が床パン２から下方へ垂設されている。
なお、ユニットルームの床パン２の下端外周にはレベル調整ボルト７が設けられている。
【００１２】
このようなユニットルーム１を下地１０上に設置するに際し、下地１０の上面１０ａには、予め下方へ凹ませて凹部１１を形成させておく。
上面１０ａから下方へ凹ませた凹部１１の深さは、本例では１２mmとなっており、下地１０の厚みは１５０mmであり、下地１０の下面１０ｂはフラットに形成されている。
１２mmの深さに凹部１１を形成させても、この凹部１１の部分の下地１０の厚みは１３０mm以上あるため、下地１０の強度および遮音性は確保されており、しかも、従来のような落とし込み部５４ａを形成させる場合のように、下階の天井面が下がることもない。また、仮に最大５０mmの凹部１１を設けた場合でも、なおコンクリート厚さ１００mmが残り十分な強度や遮音性が確保できる。
【００１３】
このような凹部１１は、専用の型枠等を必要とせず、しかも補強用の梁も必要とせずに、コストを低減させて形成することができるものである。
例えば、デッキプレートの上方に、コンパネを固定具で固定して配設しておき、このコンパネとデッキプレート間にコンクリートを流し込んで、コンパネの厚み分の凹部１１を形成した下地１０を構築することができるものである。
【００１４】
なお、図３に示すように、コンパネ１５の下面に、床パン２の排水溝部２ａに相当する形状の下面板１５ａを一体化させておき、例えばコンパネ１５は１２mmの厚みのものを用い、また下面板１５ａも１２mmの厚みのものとし、このような下面板１５ａを一体化させたコンパネ１５を用いてコンクリートを打設して、ユニットルームの設置用の下地１０を形成させる際に、上面１０ａよりも下方へ凹んだ凹部１１と、溝部１１ａを良好に形成させることができる。
【００１５】
なお、さらに下面板１５ａから更に下方へ突出する部材を設けておけば、コンクリートを打設して下地１０を形成させる際に、同時に貫通孔１３を形成させることができ、さらには、コンパネ１５の異なる位置に突出部材を設けておき、便器側の貫通孔１４を形成させることができるものである。
このように下地１０に凹部１１を形成させた部分に、ユニットルーム１の床パン２を載せて、通常よりも低い位置に床パン２を設置することができるものとなり、上面１０ａと床パン２の段差を低減させることができるものとなる。
なお、凹部１１内にユニットルームの床パン２を載せる際に、予め凹部１１に団子状のモルタルの塊を適所に点在させておき、この団子状のモルタル上に床パン２を設置して、レベル調整ボルト７で良好に床パン２の水平度等を調整できるものである。
【００１６】
また、下地１０に形成した貫通孔１３内に床パン２のトラップ５を嵌め込み、貫通孔１３の下側へトラップ５からの排水管５ａを配設させて、下地１０の下面１０ｂ側に良好に排水管５ａを配設することができる。
また、同様に、便器の排水管６も、下地１０に形成した貫通孔１４内に通して、下地１０の下面１０ｂ側へ良好に配管することができる。なお、貫通孔１３，１４は、それぞれモルタルを充填して埋めて施工できるものである。
このようにトラップ５及び排水管６を下方へ貫通状に通して、凹部１１内の低い位置に良好に床パン２を落とし込み状に設けることができるものとなる。
【００１７】
このようにして、床パン２を設置し、更に床パン２上にユニットルームを組み付けて設置した後に、図２に示すように、ユニットルーム１の入り口ドア８の隣室側に、モルタルＭを敷設し、更にモルタルＭ上にシート等の仕上げ材を施工して、隣室の仕上げ面１２を床パン２とほぼ面一状に施工することができ、隣室から床パン２内へ車椅子でも良好に入り込めるように、フラットな床面を形成させることができる。
なお、予め凹部１１が形成され、この凹部１１内に床パン２が設置されているため、隣室の仕上げ面１２は、僅かにモルタルＭで嵩上げすれば、床パン２とほぼ面一とすることができ、嵩上げは僅かであり、コストを低減させて面一状にすることができるものである。なお、本例では、モルタルＭの嵩上げ高さは３９mmとなっている。
【００１８】
本例では、凹部１１の深さは１２mmとしているが、１２mmの深さに限定されるものではなく、凹部１１の深さは１０mm〜５０mmの範囲内で適宜設定して、床パン２の設置高さを低くすることができるものである。
なお、凹部１１の最低深さを１０mmとしたのは、ユニットルームの床パン２の高さは５０mm〜６０mmで、それ以下の高さに形成することは困難であり、また、下地１０上に嵩上げして増し打ちできるモルタルＭの高さは、重量の関係で５０mmまでが限度である。
従って、床パン２の高さ寸法が６０mmの場合、床パン２の高さ６０mmから、増し打ちできるモルタルＭの高さ５０mmを引いた、１０mmの深さの凹部１１が最低必要なものとなる。
また、凹部１１の深さの最高を５０mmとしたのは、５０mm程度の深さがあれば、ユニットルームの床パン２の出入り口の段差を確実に無くすことができ、一方、下地１０の強度及び遮音性を考慮すれば、この程度の深さが限度となるからである。
【図面の簡単な説明】
【００１９】
【図１】ユニットルームの設置状態の縦断面構成図である。
【図２】ユニットルームの設置状態における入り口ドア側に、面一状に隣室の仕上げ面を形成させた施工状態の要部縦断面構成図である。
【図３】コンパネにより下地に凹部を形成させ、且つ、形成した凹部内に床パンを設置する作業説明図である。
【図４】従来の落とし込み部を形成して、ここにユニットルームを設置した設置状態の縦断面構成図である。
【符号の説明】
【００２０】
１    ユニットルーム
２    床パン
２ａ    排水溝部
３    便器
４    シャワー装置
５    トラップ
５ａ    排水管
６    排水管
８    入り口ドア
１０    下地
１０ａ    上面
１１    凹部
１１ａ    溝部
１２    隣室仕上げ面
１３，１４    貫通孔
１５    コンパネ
１５ａ    下面板
【図１】
2005113590.tif 000003
【図２】
2005113590.tif 000004
【図３】
2005113590.tif 000005
【図４】
2005113590.tif 000006